(57)【要約】【課題】足場の安全性を確保しばた材取り扱い時の作業性向上ができるばた材預け棚を提供することにある。【解決手段】略水平にしたばた材の一部分を上から受けて着脱自在に係止する棚１６を仮設足場３の側方水平方向に間隔を設けて複数配置してばた材を複数の棚１６で支持させる構成とし、棚１６が建枠４に設けられていてもよいし、仮設足場のパイプ支柱部５に着脱自在に係止される装着部２と、ばた材を上から係止させる受け棚部１３と落下防止部１４とからなるばた材預け金具１を仮設足場に装着してもよく、装着部２がパイプ支柱部５に側方から嵌合するＵ字溝部６とパイプ支柱部の水平部材７に係止する係止溝９とＵ字溝部６の反開口方向への揺れを防止する揺れ防止部１４とを有してもよく、装着部または受け棚部に小物収納バッグ係止用のフック１２を備えていてもよい。【選択図】　図１
2004019167.tif 000002
【特許請求の範囲】
【請求項１】
略水平にした長尺なばた材の一部分を上から受けて着脱自在に係止する棚を仮設足場の側方水平方向に間隔を設けて複数配置し、該ばた材を複数の棚で支持させることを特徴とするばた材預け棚を有する仮設足場。
【請求項２】
仮設足場が複数の建枠を有し、ばた材預け棚が前記建枠の側方に設けられていることを特徴とする請求項１に記載のばた材預け棚を有する仮設足場。
【請求項３】
仮設足場の組み立て部材に着脱自在に係止される装着部と、該装着部から仮設足場の側方に向け略水平に突出してばた材を上から係止させる受け棚部と、該受け棚部先端から上向きに突設された落下防止部とからなり、前記装着部を仮設足場の組み立て部材に係止させることによりばた材預け棚を該仮設足場に着脱自在に形成することを特徴とするばた材預け金具。
【請求項４】
装着部が、仮設足場の組み立て部材におけるパイプ支柱に側方から嵌合するＵ字溝部と、該Ｕ字溝部に形成され該Ｕ字溝部をパイプ支柱に嵌合し下方に摺動させた状態でパイプ支柱側の水平部材に係止する係止溝と、該水平部材に係止した係止溝を中心にＵ字溝部の反開口方向への揺れを防止する揺れ防止手段とを有することを特徴とする請求項３に記載のばた材預け金具。
【請求項５】
装着部または受け棚部に小物収納バッグ係止用のフックを備えていることを特徴とする請求項３または請求項４に記載のばた材預け金具。
【発明の詳細な説明】
【０００１】
【発明の属する技術分野】
本発明は、建築現場における型枠組み立て用の長尺なばた材を一時的に保管するための棚を仮設足場の足場を避けた部分に備えることにより、足場の安全性を確保し、また、ばた材取り扱い時の作業性を向上させるようにした仮設足場およびばた材預け金具に関する。
【０００２】
【従来の技術】
従来、建築現場などでは躯体を構築するまわりに足場を確保するため単管足場、枠組足場などと称される仮設足場が設けられる。
この仮設足場は、例えば枠組足場の場合、鳥居型建枠（建地）を一定間隔で並列に配置して上部を足場板で繋いで行くことにより足場を形成し、この足場を利用してばた材でパネルを固定しながら型枠を組み立てていく。この型枠にコンクリートを打設後、更に上階が構築されるのであるならばその上部にも同様に組み立てて行くことにより、躯体を構築するまわりで足場が多層に成長するように設けられて行く。
【０００３】
【発明が解決しようとする課題】
この従来の仮設足場では、型枠脱却時などで長尺なばた材を一時的に安全に預ける場所がなかったため、足場の上に積み上げて置くことが一般的に行なわれている。
しかしながら、この足場は作業員の安全を確保する通路でもなければならないから、足場をばた材置き場として利用するのは作業員の安全性の確保、作業効率の上で問題があった。
また、型枠脱却時に取り外したばた材を足場上に置く場合、長尺なばた材を交差筋交いの間から取り込まなければならないから作業性が悪く、また作業の安全性に欠けるという問題があった。
また、型枠脱却時には型枠組み立て用ボルトや締め付け金具類の置き場がなく、足場などに置くと落下して事故の原因になるなどの問題があった。
【０００４】
本発明は、上述のような従来の問題点を解決するために成されたものであって、その目的とするところは、足場の安全性を確保し、また、ばた材取り扱い時の作業性の向上ができるようにした仮設足場およびばた材預け金具を提供することにある。
また、本発明は、ばた材を一時預けた近くで型枠組み立て用のボルトや金具類を落下させることなく仮設足場に安全に一時保管できるようにしたばた材預け金具を提供することにある。
【０００５】
【課題を解決するための手段】
上記問題点を解決するために、本発明請求項１記載のばた材預け棚を有する仮設足場では、略水平にした長尺なばた材の一部分を上から受けて着脱自在に係止する棚を仮設足場の側方水平方向に間隔を設けて複数配置し、該ばた材を複数の棚で支持させることを特徴とする。
【０００６】
請求項２記載のばた材預け棚を有する仮設足場では、請求項１に記載のばた材預け棚を有する仮設足場において、仮設足場が複数の建枠を有し、ばた材預け棚が前記建枠の側方に設けられていることを特徴とする。
【０００７】
請求項３記載のばた材預け金具では、仮設足場の組み立て部材に着脱自在に係止される装着部と、該装着部から仮設足場の側方に向け略水平に突出してばた材を上から係止させる受け棚部と、該受け棚部先端から上向きに突設された落下防止部とからなり、前記装着部を仮設足場の組み立て部材に係止させることによりばた材預け棚を該仮設足場に着脱自在に形成することを特徴とする。
【０００８】
請求項４に記載のばた材預け金具では、請求項３に記載のばた材預け金具において、装着部が、仮設足場の組み立て部材におけるパイプ支柱部に側方から嵌合するＵ字溝部と、該Ｕ字溝部に形成され該Ｕ字溝部をパイプ支柱部に嵌合し下方に摺動させた状態でパイプ支柱部側の水平部材に係止する係止溝と、該水平部材に係止した係止溝を中心にＵ字溝部の反開口方向への揺れを防止する揺れ防止手段とを有することを特徴とする。
【０００９】
請求項５記載のばた材預け金具では、請求項３または請求項４に記載のばた材預け金具において、装着部または受け棚部に小物収納バッグ係止用のフックを備えていることを特徴とする。
【００１０】
【発明の作用および効果】
本発明請求項１に記載のばた材預け棚を有する仮設足場において、型枠組み立て位置から所定の間隔を空け平行して設けた仮設足場には、略水平にした長尺なばた材の一部分を上から受けて着脱自在に係止する棚が、仮設足場の側方、つまりこの場合足場と型枠組み立て位置との間に、水平方向に間隔を設けて複数配置されている。
【００１１】
従って、請求項１に記載のばた材預け棚を有する仮設足場では、型枠組み立て時、あるいは型枠脱却時に長尺なばた材を間隔を空けて複数の棚に受けさせ一時的に安全に預けておくことができる。
また、足場をばた材の置き場として使用しなくてもよいから、作業員の安全性の確保、作業効率の向上を図ることができる。
また、型枠組み立て、あるいは型枠脱却時に長尺なばた材を交差筋交いの間から出し入れしなくてもよいから作業性が良く、また作業の安全性を向上できるなどの効果が得られる。
【００１２】
請求項２に記載のばた材預け棚を有する仮設足場では、建枠を型枠組み立て位置から所定の間隔を空け平行して配置され布板を多数連設して設けられた仮設足場において、ばた材預け棚が建枠位置毎に設けられることになる。
従って、請求項２に記載のばた材預け棚を有する仮設足場では、型枠組み立て時、あるいは型枠脱却時に、長尺なばた材を建枠位置毎に棚に受けさせ一時的に安全に預けておくことができるという効果の外、請求項１に記載のばた材預け棚を有する仮設足場と同様の効果が得られる。
【００１３】
請求項３に記載のばた材預け金具では、装着部と受け棚部と落下防止部とからなる金具によりばた材の預け棚を仮設足場に形成するものであり、装着部は仮設足場の組み立て部材に着脱自在に係止されるため、例えば、枠組足場であればその鳥居型建枠に装着部を係止することにより、その建枠位置にばた材の預け棚を形成する。このため、足場仮設後にばた材預け棚を設けることができる。
従って、請求項３に記載のばた材預け金具にあっては、足場仮設後、長い仮設足場のうち、ばた材を一時預けたい場所にある足場組み立て部材において、その型枠組み立て側にばた材預け金具の装着部を係止していくことにより、ばた材の預け棚を極めて簡単に必要な間隔で配置させることができる。また、不足部分には簡単に追加できるし、邪魔になる部分は簡単に除去することができる。
また、仮設足場解体時には、ばた材預け金具を取り外しておくことにより仮設足場部材から突起部を無くし、仮設足場部材を隙間なく奇麗に整理できるなどの効果が得られる。
【００１４】
請求項４に記載のばた材預け金具では、仮設足場の組み立て部材におけるパイプ支柱部に側方から、装着部のＵ字溝部を嵌合させて下方に摺動させることにより、係止溝がパイプ支柱部側の水平部材に係止し、金具を簡単に仮設足場側に取付けることができる。この場合、水平部材に係止した係止溝を中心にＵ字溝部の反開口方向への揺れは揺れ防止手段によって阻止する。
従って、請求項４に記載のばた材預け金具にあっては、装着部のＵ字溝部を仮設足場のパイプ支柱部に嵌合して摺動させるだけで簡単に金具を仮設足場側に取付けることができる。
装着部は預けたばた材の重量が作用する方向、つまり下方に摺動させることにより仮設足場のパイプ支柱部に係止するから、安全に使用できるように誰でも簡単に組み立てできるし、棚の揺れももなく誰でも安全に使用することができるなどの効果が得られる。
【００１５】
請求項５に記載のばた材預け金具では、同金具の装着部または受け棚部に小物収納バッグ係止用のフックを備えているから、前記金具を仮設足場の組み立て部材に装着するだけで、小物収納バッグを吊り下げるフックがばた材預け棚のすぐ近くに配置されることになり、型枠組み立て時、あるいは型枠解体時にばた材を棚に預けながら、組み立てボルトや締め付け金具類を前記バッグに収納し足場を空けておくことができる。
また、前記組み立てボルトや締め付け金具類を狭い足場に置いておくことがないから高所から落下させる事がなく、安全作業を行なうことができるなどの効果が得られる。
【００１６】
【発明の実施の形態】
以下、本発明の実施の形態を図面により詳述する。図１は本実施の形態のばた材預け金具を、仮設足場として枠組足場に装着した状態を示す斜視図、図２はばた材預け金具を示す正面図、図３はばた材預け金具を示す背面図、図４はばた材預け金具を示す右側面図、図５はばた材預け金具を示す左側面図、図６はばた材預け金具を示す平面図、図７はばた材預け金具を示す底面図、図８はばた材預け金具の使用状態を示す斜視図である。
【００１７】
図において、２はばた材預け金具１における装着部であって、枠組足場３の鳥居型の建枠４におけるパイプ支柱部５に側方から着脱自在に嵌合して係止されるＵ字溝部６を有している。更に、このＵ字溝部６の一方の溝壁部６ａには、このＵ字溝部６をパイプ支柱部５に嵌合させる際、パイプ支柱部５の補強用水平部材７（つまりこの水平部材７は建枠４の内面側に位置している）を導入する横切欠部８と、その導入状態でＵ字溝部６を下方に摺動させた状態で前記水平部材７に係止する縦方向の係止溝９が設けられている。
【００１８】
また、前記Ｕ字溝部６の他方の溝壁部６ｂは下方に適宜長さ延設（本実施の形態のように平鋼で形成した別部材を固着して設けてもよいが、勿論、溝壁部材そのものが延設された一体構造のものとしてもよい）をされ、その延設部１０の前記Ｕ字溝内面側方向には、前記Ｕ字溝部６の開口と直交する方向に開口し前記パイプ支柱部５に外方（型枠の仮組側）から嵌合する略Ｕ字状の揺れ防止爪１１が突設されている。この場合、揺れ防止爪１１は、パイプ支柱部５に嵌合させた状態で横切欠部８から水平部材７を導入できるまでＵ字溝部６を傾斜可能な開口幅を有している。尚、この揺れ防止爪１１は、Ｕ字溝部６の開口側のみを係止するようにしてもよい。
また、前記延設部１０は、その先端部を外側上方に折り曲げることによりフック１２が形成されている。
【００１９】
次に、１３は受け棚部、１４は落下防止部であり、前記受け棚部１３は装着部２の延設部１０から平鋼状部材を外方に向け略水平に突出して設けており、前記水平部材７に係止溝９を係止して建枠４に装着した状態で、この建枠４で形成する枠組足場１５にばた材預け棚１６を形成する。
落下防止部１４は、本実施の形態では角型鋼管によるばた材１７を受け棚部１３に３段積層した最上段の鋼管を係止できる高さを有して、この受け棚部１３の先端から上向きに突設されているが、このばた材の積層数は任意に設定することができる。
【００２０】
次に本実施の形態の作用および効果を説明する。
枠組足場３の組み立て後、ばた材１７の全長より短い間隔にある建枠４にばた材預け金具１を係止する。この場合、受け棚部１３が型枠組み立て側に向くようにして、先ず、Ｕ字溝部６を傾斜させ横切欠部８を水平部材７位置に合わせてから、揺れ防止爪１１をパイプ支柱部５に嵌合させる。そして、Ｕ字溝部６を戻して横切欠部８を水平部材７に挿入させる。この状態でＵ字溝部６はパイプ支柱部５に嵌合した状態となる。これによりＵ字溝部６を下降させると係止溝９に水平部材７が係止する。このようにしてばた材預け金具１を装着した後、下方のフック１２に小物収納バッグ１８を係止することにより、枠組足場３の側方であって型枠組み立て側との間に、ばた材預け棚１６と小物収納バッグ１８を設けることができる。
ばた材預け棚１６は枠組足場３のパイプ支柱部５に対し型枠組み立て側に配置されるから、型枠の組み立て、あるいはコンクリート打設後の型枠脱却に際し、パイプ支柱部５に邪魔されずにばた材１７をばた材預け棚１６に収納し、複数本を簡単で安全に段積みすることができる。また、締め付け金具類は、ばた材預け棚１６のすぐ近くにある小物収納バッグ１８に収納しておくことができる。
尚、前記ばた材預け棚１６と型枠組み立てとの間には、適宜隙間ができるように設けられている。また、前記組み立て手順において、例えばＵ字溝部６の開口部開き幅を大きくしておくことにより、このＵ字溝部６側から装着始めるようにもでき、組み立て手順は様々に設定することができる。
【００２１】
以上、説明してきたように、本実施の形態のばた材預け金具１にあっては、足場仮設後、長い枠組足場のうち、ばた材を一時預けたい場所にある建枠４において、その型枠組み立て側にばた材預け金具１の装着部２を係止していくことにより、ばた材の預け棚１６を極めて簡単に必要な間隔で配置させることができる。また、不足部分には簡単に追加できるし、邪魔になる部分は簡単に除去することができる。
足場をばた材１７の置き場として使用しなくてもよいから、作業員の安全性の確保、作業効率の向上を図ることができる。
また、型枠組み立て、あるいは型枠脱却時に長尺なばた材１７を交差筋交いの間から出し入れしなくてもよいから極めて作業性が良く、また作業の安全性を向上できる。
また、前記組み立てボルトや締め付け金具類を狭い足場に置いておくことがないから高所から落下させる事がなく、安全作業を行なうことができるなどの効果が得られる。
【００２２】
以上、本発明の実施の形態を図面により説明したが、具体的な構成は前記実施の形態に限定されるものではなく、発明の要旨を逸脱しない範囲の設計変更などがあっても本発明に含まれる。
例えば、揺れ止め防止手段はＵ字状の爪１１をパイプ支柱部５に嵌合させるとしたが、これに限らず、Ｕ字溝部６の開口部を横切るように溝壁同士にピンを着脱自在に挿入するようにしてもよい。
装着部２、受け棚部１３、落下防止部１４の形状は任意に設定することができる。
係止溝９はパイプ支柱部５の補強用水平部材７に係止させるとしたが、パイプ支柱部５に固定された突出部であれば傾斜したものであっても使用することができる。
また、仮組足場にばた材預け棚を設けるのに、ばた材預け金具１を着脱自在に装着するとしたが、受け棚部１３と落下防止部１４を備えたものを、パイプ支柱部５などに溶接、ボルト締め、嵌合などにより固定した状態に設けてもよい。
【図面の簡単な説明】
【図１】本発明実施の形態のばた材預け金具により枠組足場にばた材預け棚を形成した状態を示す斜視図である。
【図２】実施の形態のばた材預け金具を示す正面図である。
【図３】実施の形態のばた材預け金具を示す背面図である。
【図４】実施の形態のばた材預け金具を示す右側面図である。
【図５】実施の形態のばた材預け金具を示す左側面図である。
【図６】実施の形態のばた材預け金具を示す平面図である。
【図７】実施の形態のばた材預け金具を示す底面図である。
【図８】実施の形態のばた材預け金具の使用状態を示す斜視図である。
【符号の説明】
１　ばた材預け金具
２　装着部（ばた材預け金具）
３　枠組足場（仮組足場）
４　鳥居型縦枠（仮設足場の組み立て部材）
５　パイプ支柱部（仮設足場の組み立て部材）
６　Ｕ字溝部（装着部）
７　パイプ支柱部の水平部材
８　横切欠部（装着部）
９　係止溝（装着部）
１１　揺れ防止爪（揺れ防止手段）
１２　フック
１３　受け棚部
１４　落下防止部
１５　枠組足場
１６　ばた材預け棚
１７　ばた材
１８　小物収納バッグ
【図１】
2004019167.tif 000003
【図２】
2004019167.tif 000004
【図３】
2004019167.tif 000005
【図４】
2004019167.tif 000006
【図５】
2004019167.tif 000007
【図６】
2004019167.tif 000008
【図７】
2004019167.tif 000009
【図８】
2004019167.tif 000010